(57)【要約】【課題】アクセス制御に必要なレポート情報をＯＮＵからＯＬＴへ効率的に送信する光通信システムを得ること。【解決手段】本発明は、拡張ＭＰＣＰによるアクセス制御機能を具備するＯＬＴ（１）およびＯＮＵ（２Ａ1〜２Ａm）を含んだ光通信システムであって、ＯＮＵ（２Ａ1〜２Ａm）は、ＯＬＴ（１）における上り方向の帯域割り当て制御で使用するレポート情報を上りバーストフレームの所定位置に挿入して送信し、ＯＬＴ（１）は、レポート情報が挿入された上りバーストフレームを受信した場合、受信フレームに含まれるレポート情報に基づいて上り方向の帯域割り当てを行うこととした。【選択図】        図１
2009278165.tif 000002
【特許請求の範囲】
【請求項１】
拡張ＭＰＣＰによるアクセス制御機能を具備する局側通信装置および加入者側通信装置を含んだ光通信システムであって、
前記加入者側通信装置は、前記局側通信装置における上り方向の帯域割り当て制御で使用するレポート情報を上りバーストフレームの所定位置に挿入して送信し、
前記局側通信装置は、レポート情報が挿入された上りバーストフレームを受信した場合、当該受信フレームに含まれるレポート情報に基づいて上り方向の帯域割り当てを行うことを特徴とする光通信システム。
【発明の詳細な説明】
【技術分野】
【０００１】
本発明は、上り方向の帯域を効率的に使用してデータ伝送を行う光通信システムに関する。
【背景技術】
【０００２】
従来のアクセス系ネットワークとして、ＧＥ−ＰＯＮ（Giga  bit  Ethernet（登録商標）-Passive  Optical  Network）システムが知られている（例えば下記非特許文献１参照）。このＧＥ−ＰＯＮシステムは、複数の加入者側通信装置（ＯＮＵ）がスターカプラを介して光ファイバケーブルケーブルで局側通信装置（ＯＬＴ）に接続されるものであり、複数の加入者側通信装置が単一の局側通信装置を共有するため、経済的である。
【０００３】
【非特許文献１】ＩＥＥＥ（Institute  of  Electrical  and  Electronics  Engineers）  ８０２．３−２００５  ｓｅｃｔｉｏｎ  ５
【発明の開示】
【発明が解決しようとする課題】
【０００４】
上記非特許文献１に開示されたＧＥ−ＰＯＮシステムのアクセス制御では、ＯＮＵからＯＬＴへ向けての上り方向送信を行う場合、まずＯＬＴがＯＮＵにGateメッセージを用いて送信許可時刻および許可時間を通知する。そして、ＯＮＵは、受信したGateメッセージが示す送信許可時刻および許可時間に従い上り方向の送信を行う。また、この送信中に、ＯＬＴが次の送信許可時刻および許可時間を決定するための自データ蓄積量をReportメッセージによってＯＬＴに通知する。上り信号を受信したＯＬＴは、通知されたＯＮＵのデータ蓄積量に基づいて次の送信許可時刻および許可時間を割り当てる（割り当て結果はGateメッセージによってＯＮＵへ通知される）。ＧＥ−ＰＯＮシステムでは、以上の方法を繰り返すことでアクセス制御を行う。前記アクセス制御は１０Ｇ−ＥＰＯＮシステムにおいても適用される。
【０００５】
ここで、Reportメッセージは６４バイトのイーサネット（登録商標）フレームであり、一方、アクセス制御に必要なデータ蓄積量およびタイムスタンプ値等の情報（以下、これらを総称してレポート情報と呼ぶ）は数バイトである。そのため、Reportメッセージは、イーサネット（登録商標）フレームのデータ部分にレポート情報とフレーム長を６４バイトにするためのパディングデータとを含んでいる。この結果、Reportメッセージの送信に伴い、それに含まれるパディングデータ分だけ帯域の利用効率が低下する、という問題があった。
【０００６】
本発明は、上記に鑑みてなされたものであって、アクセス制御に必要なデータ蓄積量およびタイムスタンプ値等のレポート情報をＯＮＵからＯＬＴへ効率的に送信する光通信システムを得ることを目的とする。
【課題を解決するための手段】
【０００７】
上述した課題を解決し、目的を達成するために、本発明は、拡張ＭＰＣＰによるアクセス制御機能を具備する局側通信装置および加入者側通信装置を含んだ光通信システムであって、前記加入者側通信装置は、前記局側通信装置における上り方向の帯域割り当て制御で使用するレポート情報を上りバーストフレームの所定位置に挿入して送信し、前記局側通信装置は、レポート情報が挿入された上りバーストフレームを受信した場合、当該受信フレームに含まれるレポート情報に基づいて上り方向の帯域割り当てを行うことを特徴とする。
【発明の効果】
【０００８】
この発明によれば、上り方向の帯域を効率的に使用する光通信システムを実現できる、という効果を奏する。
【発明を実施するための最良の形態】
【０００９】
以下に、本発明にかかる光通信システムの実施の形態を図面に基づいて詳細に説明する。なお、この実施の形態によりこの発明が限定されるものではない。
【００１０】
実施の形態．
図１は、本発明にかかる光通信システムの構成例を示す図である。この光通信システムは、ネットワークオペレータの局内に配備される親局（局側通信装置）であるＯＬＴ１と、加入者宅に配置される子局（加入者側通信装置）であるＯＮＵ２Ａ1〜２Ａm，２Ｂ1〜２Ｂnと、により構成され、各ＯＮＵは光ファイバケーブルとスターカプラ３を介してＯＬＴ１と接続されている。
【００１１】
ＯＬＴ１は、拡張ＭＰＣＰ（Multi-Point  Control  Protocol）によるＰＯＮアクセス制御機能を具備し、同じ機能を具備しているＯＮＵとの間ではこの機能を使用してＰＯＮアクセス制御を行う。また、ＯＮＵ２Ａ1〜２Ａmは、ＯＬＴ１と同様に、拡張ＭＰＣＰによるＰＯＮアクセス制御機能を具備する。一方、ＯＮＵ２Ｂ1〜２Ｂnは、拡張ＭＰＣＰによるＰＯＮアクセス制御機能を具備していない。すなわち、ＯＬＴ１は、ＯＮＵ２Ａ1〜２Ａmとの間では拡張ＭＰＣＰによるＰＯＮアクセス制御を行う。
【００１２】
ここで、拡張ＭＰＣＰとは、オーバヘッドを小さくしたＭＰＣＰであり、通常の６４バイトのReportメッセージの代わりに必要なレポート情報のみを含んだメッセージを通知する。レポート情報は上り信号内の特定領域に挿入される。拡張ＭＰＣＰアクセス制御機能では、上記レポート情報のみを含んだメッセージを使用してアクセス制御を行う。
【００１３】
つづいて、上記構成の光通信システムにおけるアクセス制御動作について説明する。なお、ＯＬＴ１は、収容している各ＯＮＵが拡張ＭＰＣＰアクセス制御機能を具備しているかどうかを確認済みであるものとする。
【００１４】
双方が拡張ＭＰＣＰアクセス制御機能を具備しているＯＬＴ１とＯＮＵ（ＯＮＵ２Ａ1〜２Ａm）との間のデータ伝送における下り方向のフレーム伝送制御は従来と同一である。一方、上り方向のフレーム伝送制御では、ＯＮＵは自ＬＬＩＤ宛Gateメッセージを受信した場合、受信したメッセージに含まれる情報により指定されたタイムスロット内の指定フィールドに自身のレポート情報を挿入して送信する。
【００１５】
たとえば、図２で示したように、ＩＥＥＥ８０２．３ａｖタスクフォースで標準化中の１０Ｇ−ＥＰＯＮ用上りバーストフレームの中のBurst  Delimiterフィールドおよびアイドルフィールドの直後に、レポート情報を格納するためのフィールドを新たに追加し、このフィールドにレポート情報（ＯＮＵに対するタイムスタンプ値およびキューのデータ蓄積量を示すキュー長情報）を任意のフォーマットで挿入する。
【００１６】
ＯＮＵからの上りバースト信号を受信したＯＬＴは、それが拡張ＭＰＣＰアクセス制御機能を具備しているＯＮＵから受信したものである場合、受信信号（バーストフレーム）に挿入されているレポート情報を取得し、このレポート情報に基づいて次のタイムスロット（送信許可時刻および許可時間）を割り当てる。
【００１７】
なお、ＯＬＴ１と従来のＯＮＵ（ＯＮＵ２Ｂ1〜２Ｂn）との間の上り方向のフレーム伝送制御は、従来と同じである。すなわち、レポート情報は、ReportメッセージにてＯＮＵからＯＬＴへ通知される。
【００１８】
このように、本実施の形態の光通信システムでは、拡張ＭＰＣＰアクセス制御機能を具備しているＯＬＴとＯＮＵとの間のアクセス制御では、レポート情報をバーストフレーム内に挿入して送信することとした。これにより、レポート情報がＯＮＵからＯＬＴへ効率的に通知され、上り方向の帯域使用効率が向上する。
【産業上の利用可能性】
【００１９】
以上のように、本発明にかかる光通信システムは、上り方向の帯域が無駄に消費されるのを回避した伝送制御の実現に適している。
【図面の簡単な説明】
【００２０】
【図１】本発明にかかる光通信システムの構成例を示す図である。
【図２】本発明にかかる光通信システムにおいて使用する上りバーストフレームの構成例を示す図である。
【符号の説明】
【００２１】
１  親局（ＯＬＴ）
２Ａ1、２Ａm、２Ｂ1、２Ｂn  子局（ＯＮＵ）
３  スターカプラ
【図１】
2009278165.tif 000003
【図２】
2009278165.tif 000004